(57)【要約】【課題】より効率良く、被浸透物、特にマットレス等の大型の被浸透物の乾燥を行う乾燥装置を提供する。【解決手段】本発明の被浸透物の乾燥装置は、回転することにより内部から外部に向かう風を生成する複数の羽根を周囲に持つ回転フレームと、上記回転フレームの内部又は外周部であって、上記回転フレームが回転することにより生じる風が通る位置に被浸透物を置くための設置手段と、上記回転フレームを回転させる駆動手段とで構成されることを特徴とする。【選択図】  図１
2004218977.tif 000002
【特許請求の範囲】
【請求項１】
回転することにより内部から外部に向かう風を生成する複数の羽根を周囲に持つ回転フレームと、
上記回転フレームの内部又は外周部分であって、上記回転フレームが回転することにより生じる風が通る位置に被浸透物を置くための設置手段と、
上記回転フレームを回転させる駆動手段とで構成されることを特徴とする被浸透物の乾燥装置。
【請求項２】
請求項１に記載の被浸透物の乾燥装置において、
上記設置手段を回転フレーム本体の内周部分に備える被浸透物の乾燥装置。
【請求項３】
請求項２に記載の被浸透物の乾燥装置において、
上記設置手段は、回転フレームの全体に渡り、被浸透物を隙間無く、又は略隙間無く取り付ける被浸透物の乾燥装置。
【請求項４】
請求項２又は請求項３に記載の被浸透物の乾燥装置において、
上記配置手段は、回転フレームの内周面に被浸透物を押えつける、支点越え機構を備えた固定バーである被浸透物の乾燥装置。
【請求項５】
請求項２又は請求項３に記載の被浸透物の乾燥装置において、
上記配置手段は、回転フレームの内側に収納及び固定可能な引き出し型のフレームと、当該フレームに被浸透物を固定する固定具とでなる被浸透物の乾燥装置。
【請求項６】
請求項１乃至請求項５の何れかに記載の被浸透物の乾燥装置において、
少なくとも上記回転フレーム及び配置手段を収容し、上記回転フレームの内側へ外気を供給するための吸気部と、回転フレームの外側に排出された空気を外部に出す排気口とを有する收容器を備える被浸透物の乾燥装置。
【請求項７】
請求項６に記載の被浸透物の乾燥装置において、
上記收容器の備える吸気部は空気清浄フィルターを備え、当該空気清浄フィルターにより清浄した外気を回転フレームの内側へと供給する被浸透物の乾燥装置。
【請求項８】
請求項６又は請求項７に記載の被浸透物の乾燥装置において、
上記收容器の備える吸気部は加熱部を備え、当該加熱部により加熱した外気を回転フレームの内側へと供給する被浸透物の乾燥装置。
【請求項９】
請求項１乃至請求項８の何れかに記載の被浸透物の乾燥装置において、
上記回転フレームの内側に外気を送り込むためのファンを備える被浸透物の乾燥装置。
【請求項１０】
請求項２乃至請求項９の何れかに記載の被浸透物の乾燥装置において、
上記回転フレームは、更に、配置手段により回転フレームに固定した被浸透物と当該回転フレームの備える羽根との間に隙間を形成するための複数の凸状部材を備える被浸透物の乾燥装置。
【請求項１１】
請求項１乃至請求項１０の何れかに記載の被浸透物の乾燥装置において、
上記回転フレームが周囲に備える羽根は、当該回転フレームを回転することによりシロッコファンとして機能させるものである被浸透物の乾燥装置。
【請求項１２】
請求項１乃至請求項１１の何れかに記載の被浸透物の乾燥装置において、
被浸透物がマットレスである被浸透物の乾燥装置。
【請求項１３】
回転することにより内部から外部に向かう風を生成する複数の羽根を周囲に備える回転フレームの内部又は外周部に被浸透物を置き、上記回転フレームを回転させることにより生じる風を被浸透物に当てることにより当該被浸透物を乾燥させることを特徴とする被浸透物の乾燥方法。
【請求項１４】
請求項１３に記載の被浸透物の乾燥方法において、
上記回転フレームの内周部又は外周部に、被浸透物を隙間無く又は略隙間無く置き、回転フレームを回転させることにより生じる風を被浸透物の内部に通すことを特徴とする被浸透物の乾燥方法。
【請求項１５】
請求項１３又は請求項１４に記載の被浸透物の乾燥方法において、
上記回転フレームが周囲に備える羽根は、当該回転フレームを回転することによりシロッコファンとして機能させるものである被浸透物の乾燥方法。
【発明の詳細な説明】
【０００１】
【発明の属する技術分野】
本発明は、液体の浸透した物（以下、被浸透物という。）の迅速な乾燥を行う装置、特に病院の介護ベッドのマットレス等を洗濯した後に、乾燥させるのに適した乾燥装置及び乾燥方法に関する。
【０００２】
【従来の技術及び発明の解決しようとする課題】
近年、病院や老人ホーム等では、介護用ベッドのかけ布団やシーツだけでなくマットレスの丸洗い洗浄の要望が高まってきている。ところが介護用ベッド等のマットレスは、丸洗い洗浄することを想定していないものが多く、特に綿を使用するマットレスの場合、水分を多く含むため、仮に丸洗い洗浄できたとしても効率良く乾燥させるのが難しい。
【０００３】
図１０は、一般に知られている乾燥室３００の様子を示す図である。乾燥室３００は、ヒータ３０２と、換気扇３０３ａを備える排気口３０３とで構成される。ヒータ３０２は、乾燥室３００内を暖めることにより室内を乾燥させ、被浸透物が含有している水分を気化させる。被浸透物の水分を含んだ空気は、排気口３０３より外部に排出される。上記乾燥室３００に類似する構成は、例えば、下記の特許文献１の乾燥システムにも採用されている。
【０００４】
【特許文献１】特開平６−２６７６２号公報
【０００５】
マットレスの乾燥作業は、洗濯後のマットレス３０１ａ、３０１ｂ、３０１ｃを図示しない搬入口から上記乾燥室３００に入れた後、部屋を閉めてヒータ３０２及び排気口３０３が備える換気扇３０３ａを作動させた状態で数時間かけて行われる。上記作業時間は、マットレスの素材、厚み、枚数よっては、数時間ではなく十数時間必要な場合もある。
【０００６】
本発明は、被浸透物、特にマットレス等の大型の被浸透物の乾燥を、より効率良く実行できる乾燥装置を提供することを目的とする。
【０００７】
【課題を解決するための手段】
本発明の第１の被浸透物の乾燥装置は、回転することにより内部から外部に向かう風を生成する複数の羽根を周囲に持つ回転フレームと、上記回転フレームの内部又は外周部分であって、上記回転フレームが回転することにより生じる風が通る位置に被浸透物を置くための設置手段と、上記回転フレームを回転させる駆動手段とで構成されることを特徴とする。
【０００８】
本発明の第２の被浸透物の乾燥装置は、第１の被浸透物の乾燥装置において、上記設置手段を回転フレーム本体の内周部分に備えることを特徴とする。
【０００９】
本発明の第３の被浸透物の乾燥装置は、第２の被浸透物の乾燥装置において、上記設置手段は、回転フレームの全体に渡り、被浸透物を隙間無く、又は略隙間無く取付けることを特徴とする。
【００１０】
本発明の第４の被浸透物の乾燥装置は、第２又は第３の被浸透物の乾燥装置において、上記配置手段は、回転フレームの内周面に被浸透物を押えつける、支点越え機構を備えた固定バーであることを特徴とする。
【００１１】
本発明の第５の被浸透物の乾燥装置は、第２又は第３の被浸透物の乾燥装置において、上記配置手段は、回転フレームの内側に収納及び固定可能な引き出し型のフレームと、当該フレームに被浸透物を固定する固定具とでなることを特徴とする。
【００１２】
本発明の第６の被浸透物の乾燥装置は、上記何れかの被浸透物の乾燥装置において、少なくとも上記回転フレーム及び配置手段を収容し、上記回転フレームの内側へ外気を供給するための吸気部と、回転フレームの外側に排出された空気を外部に出す排気口とを有する收容器を備えることを特徴とする。
【００１３】
本発明の第７の被浸透物の乾燥装置は、第６の被浸透物の乾燥装置において、上記收容器の備える吸気部は空気清浄フィルターを備え、当該空気清浄フィルターにより清浄した外気を回転フレームの内側へと供給することを特徴とする。
【００１４】
本発明の第８の被浸透物の乾燥装置は、第６又は第７の被浸透物の乾燥装置において、上記收容器の備える吸気部は加熱部を備え、当該加熱部により加熱した外気を回転フレームの内側へと供給することを特徴とする。
【００１５】
本発明の第９の被浸透物の乾燥装置は、上記何れかの被浸透物の乾燥装置において、上記回転フレームの内側に外気を送り込むためのファンを備えることを特徴とする。
【００１６】
本発明の第１０の被浸透物の乾燥装置は、上記第２乃至第９の何れかの被浸透物の乾燥装置において、上記回転フレームは、更に、配置手段により回転フレームに固定した被浸透物と当該回転フレームの備える羽根との間に隙間を形成するための複数の凸状部材を備えることを特徴とする。
【００１７】
本発明の第１１の被浸透物の乾燥装置は、上記何れかの被浸透物の乾燥装置において、上記回転フレームが周囲に備える羽根は、当該回転フレームが回転することによりシロッコファンとして機能するものであることを特徴とする。
【００１８】
本発明の第１２の被浸透物の乾燥装置は、上記何れかの被浸透物の乾燥装置において、被浸透物がマットレスであることを特徴とする。
【００１９】
本発明の第１の被浸透物の乾燥方法は、回転することにより内部から外部に向かう風を生成する複数の羽根を周囲に備える回転フレームの内部又は外周部に被浸透物を置き、上記回転フレームを回転させることにより生じる風を被浸透物に当てることにより当該被浸透物を乾燥させることを特徴とする。
【００２０】
本発明の第２の被浸透物の乾燥方法は、上記第１の乾燥方法において、上記回転フレームの内周部又は外周部に、被浸透物を隙間無く又は略隙間無く置き、回転フレームを回転させることにより生じる風を被浸透物の内部に通すことを特徴とする。
【００２１】
本発明の第３の被浸透物の乾燥方法は、上記第１又は第２の乾燥方法において、回転フレームとして、回転することによりシロッコファンとして機能する複数の羽根を周囲に備える回転フレームを用いることを特徴とする。
【００２２】
【発明の実施の形態】
（１）発明の概要
本発明の被浸透物の乾燥装置は、いわゆるシロッコファンの原理を利用するものであり、回転させることで内部から外部に向かう風を生成する複数の羽根を周囲に備える円柱状の回転フレームの内部又は外周部分に、液体の浸透した被浸透物（例えば、濯ぎ液の浸透した洗濯後のマットレス）を置き、上記回転フレームを高速回転させることで生成される軸中心から外側へと向かう風を上記被浸透物に当てて効率良く乾燥させることを特徴とする。
【００２３】
上記構成を採用することにより、被浸透物を単に乾燥室内に放置して乾かす場合に比べ、大幅に乾燥時間を短縮することができる。更に、乾燥室内で乾燥する場合、室内の匂いが被浸透物に染み付く場合があるが、本発明の乾燥装置では、気密な部屋を必要としないため、上記のような問題は生じない。
【００２４】
（２）実施の形態
図１は、上記被浸透物の乾燥装置の実施の形態であるマットレスの洗濯・乾燥装置１００を収めた收容器２を載せた運搬車１を示す斜視図である。收容器２は、当該マットレスの洗濯・乾燥装置１００の作動時に使用する排気用の排気口３、吸い込んだ空気の清浄及び加熱を行う吸気部４、マットレスの取り出し口５、ドレイン７（図１には示せず、図２を参照）を備える。排気口３及びマットレスの取り出し口５には、開閉可能な蓋３ａ，５ａを備える。収容部２の他、運搬車１にはマットレスの洗濯・乾燥装置１００を駆動制御する制御部６を搭載している。なお、収納部２と制御部６との間は、洗濯、濯ぎ、脱水処理実行時に飛散する洗浄液や水が制御部６へ入り込まないように仕切りが設けられている。
【００２５】
後に詳しく説明するが、マットレスの洗濯・乾燥装置１００は、軸管１０３を回転軸として制御部６の制御により高速回転される円柱状のフレームであって、当該フレームをシロッコファンとして機能させる多数の羽根を周囲に等間隔に備える回転フレーム１０２を備える。
【００２６】
図２の（ａ）は、図１に示した運搬車１を側方より見た図であり、（ｂ）は運搬車１を上から見た図であり、（ｃ）は後ろから見た図である。收容器２に収納されているマットレスの洗濯・乾燥装置１００を点線で示す。本図は、排気口３の蓋３ａ及びマットレス取出口５の蓋５ａを空けた状態で示す。マットレス取出口５の蓋５ａは、回転フレーム１０２にマットレスを取り付ける際にのみ開ける。回転フレーム１０２へのマットレスの取り付けについては、後に詳しく説明する。
【００２７】
マットレスの洗濯、濯ぎ、脱水時には、排気口３の蓋３ａ、及び、マットレスの取出口５の蓋５ａを閉じておく。脱水後、マットレスの乾燥を行う時に排気口３の蓋３ａを開ける。なお、ドレイン７は、運搬車１の後部側、収容部２の底に設けられている。
【００２８】
図３は、マットレスの洗濯・乾燥装置１００の構成を詳しく示す図である。本図では、收容器２及び制御部６を点線で示す。回転フレーム１０２は、軸管１０３に回転可能に取り付けられている×状フレーム１０２ａ，１０２ｂ，１０２ｃ、各×状フレームに外接する円形フレーム１０２ｄ，１０２ｅ，１０２ｆ、及び、当該回転フレームが回転することでシロッコファンとして機能するように、円形フレーム１０２ｄ，１０２ｅ，１０２ｆの外周に等間隔に外向きに取り付けられた多数の羽根１０４ａ，１０４ｂ，１０４ｃ…で構成される。
【００２９】
なお、各羽根は、回転方向に対して前向きに傾斜しているが、径向き又は後向きに傾斜するものを用いることも考えられる。更に各羽根は、回転フレーム１０２の外周部分に設けられているが、被浸透物であるマットレスを収める空間が確保されることを条件として、一部又は全部を内部に設けても良い。
【００３０】
軸管１０３の両端部は、台座１０１により支持されている。軸管１０３は中空の管であり、一端が封止され、他端はホース６３を介してポンプ６２に接続されている。ポンプ６２は、洗浄液及び濯ぎ液を貯蔵した２槽式のタンク６１に取り付けられており、制御スイッチ６６ａの１回目の押下に応じて洗浄液をホース６３を介して軸管１０３に供給し、洗浄液が無くなると動作を停止する。軸管１０３へと供給された洗浄液は、下向きに４つ等間隔に設けられている散水孔１０３ａから噴射される。なお、ポンプ６２は、制御スイッチ６６ａの２回目の押下に応じて濯ぎ液を吐出し、濯ぎ液が無くなると動作を停止する。
【００３１】
回転フレーム１０２の×状フレーム１０２ａには、当該×状フレーム１０２ａと共に軸管１０３を軸として回転するベルト車（図示せず）が取り付けられており、ベルト６５により駆動モータ６４に連結されている。駆動モータ６４は、制御スイッチ６６ｂの押下に応じて作動し、これによって回転フレーム１０２が回転する。制御スイッチ６６ｂをもう一度押下すると、駆動モータ６４は停止する。回転フレーム１０２は、回転することによりシロッコファンとして機能し、軸管１０３側からフレームの外側に向かう空気の流れを生成する。この空気は、回転フレーム１０２の内周面に取り付けられたマットレスの表面だけでなく内部を通り抜けるように作用する。後に図４を用いて説明するように、４枚のマットレスを回転フレーム１０２の内周面に略隙間なく配置することで、マットレスの内部を通過する空気の量を増加することができる。マットレスの表面及び内部を通り水分を含んだ空気は、排気口３より排気される。
【００３２】
後に図６を参照しつつ説明するが、制御スイッチ６６ｃは、押下する毎に、吸気部４が備える電熱線のオン／オフを切り換える。
【００３３】
図４は、マットレスの洗濯・乾燥装置１００をマットレスの取出口５側から見た斜視図である。マットレス２００ａの回転フレーム１０２への取り付けは、マットレスの引出口５の蓋５ａを開け、両端にフックを備える締結ワイヤ１５１によりマットレス２００ａを固定した引き出しフレーム１５０ａを回転フレーム１０２に差し込むことにより行う。
【００３４】
全部で４つの引き出しフレーム１５０ａ，１５０ｂ，１５０ｃ，１５０ｄは、回転フレーム１０２の内側面に沿う形状で、×状フレーム１０２ａ，１０２ｂ，１０２ｃで仕切られる略１／４の円弧分の幅で回転フレーム１０２と略同じ奥行きの底面を有しており、回転フレーム１０２に差し込むことにより、回転フレーム１０２及び×状のフレーム１０２ａ，１０２ｂ，１０２ｃとの複数の接触箇所において挟持固定されるサイズのものを用意する。
【００３５】
なお、特に図示しないが、回転フレーム１０２が高速回転している時に、引き出しフレーム１５０ａ〜１５０ｄが引き出し方向にずれて来ないように、複数のバンドで固定するのが好ましい。
【００３６】
更には、通気性の無い詰め物（例えば、ビニール製のクッション等）を用意して、各マットレスの隙間を埋めるのが好ましい（特に図示せず）。これにより、各マットレスを通過する風の量が増加して、より迅速な乾燥処理を実行することができる。
【００３７】
洗濯は、各々マットレスを固定した引き出しフレーム１５０ａ〜１５０ｄを回転フレーム１０２に差し込んで固定した後、フレーム引出口５の蓋５ａを閉めた後、制御スイッチ６６ｂを押下して回転フレーム１０２を高速回転させ、更に、制御スイッチ６６ａを押下して軸管１０３の下に位置するマットレスに向けて洗浄液を噴射して行う。
【００３８】
上記軸管１０３より噴射される洗浄液は、高速回転するマットレスの対向面（軸管１０３に近い側の面）に当たり、汚れを落とす。その後、洗浄液は、遠心力の働きによりマットレス内部を通りぬけ、内部及び軸管１０３から遠い側の面の汚れを落とした後に回転フレーム１０２の外側に飛散する。收容器２は、上記回転フレーム１０２の外側に飛散した洗浄液を底面に集め、後部に設けるドレイン７より排水する。
【００３９】
濯ぎは、制御スイッチ６６ａをもう一度（２回目）押下してポンプ６２から濯ぎ液を吐出させて行う。また、脱水は、濯ぎの終了後に引き続き、回転フレームを高速回転することにより行う。
【００４０】
乾燥は、上記脱水後、制御スイッチ６６ｂを押下して駆動モータ６４を一旦停止させ、收容器２の排気口３の蓋３ａを開けた後、再び、制御スイッチ６６ｂを押下して駆動モータ６４を作動させて回転フレーム１０２を高速回転することにより行う。
【００４１】
高速回転させることにより回転フレーム１０２がシロッコファンとして機能して吸気部４から外気を吸いこみ、軸管１０３側から回転フレーム１０２の外側に向けて排気するという空気の流れを生じる。回転フレーム１０２の外側に排出された空気は排気口３より外に出される。シロッコファンの原理を利用することにより、複数の大型の扇風機を用いることなく、各マットレスに均一に風を当てることができ、短時間で各マットレスの乾燥を完了することができる。
【００４２】
また、回転フレーム１０２の回転に伴いマットレスも回転するため、遠心力の作用によりマットレスの外側表面に内部の水分が集まり、より迅速な乾燥を行うことができる。
【００４３】
更には、回転フレーム１０２の内周に４枚のマットレスを略隙間無く置くことにより、マットレスの内部を通過する空気の量を増やすことができ、マットレス内部の水分を素早く気化して短い時間で乾燥を完了することができる。
【００４４】
乾燥完了後、制御スイッチ６６ｂを押下して駆動モータ６４を停止させた後、フレーム引出口５の蓋５ａを開け、引き出しフレーム１５０ａ〜１５０ｄを引き出し、マットレスの取り出しを行う。
【００４５】
図５は、回転フレーム１０２を吸気部４の側から見た図である。図中、收容器２及び吸気部４の外形を点線で示す。実線で示す矢印は、回転フレーム１０２を白抜きの矢印で示す方向に高速回転させてシロッコファンとして機能させた場合において、吸気部４より吸い込まれる空気の流れを示す。回転フレーム１０２を高速回転させることにより、引き出しフレーム１５０ａ，１５０ｂ，１５０ｃ，１５０ｄに取り付けられた４枚のマットレス２００ａ，２００ｂ，２００ｃ，２００ｄは撓み、遠心力で回転フレーム１０２の側壁に押し付けられる。吸気部４より吸い込まれた空気は、回転フレーム１０２の内周面に略隙間無く置かれた４枚のマットレスの内部を通過して回転フレーム１０２の外側に排出される。
【００４６】
図６は、吸気部４の構成を示す図である。吸気部４は、収納部２の外側に面する外枠４ａ、空気清浄フィルター４ｂ、電熱線４ｃ、及び、蓋４ｄとで構成される。空気清浄フィルター４ｂを設けることにより洗濯後のマットレスに粉塵等を含んだ汚れた空気が通過して表面が汚れるのを防止する。
【００４７】
電熱線４ｃは、制御部６に備えられる制御スイッチ６６ｃによりオン／オフされる。乾燥を行う際、制御スイッチ６６ｃを押下して電熱線４ｃを加熱して外気を暖める。これにより、空気がマットレス内を通過する際に当該マットレスから奪う水分量を増やして、より迅速な乾燥を実現することができる。
【００４８】
（３）回転フレームの第１の改良例
図７は、回転フレーム１０２の第１の改良例を示す図である。改良点を解りやすくするため、回転フレーム１０２の周囲全てに渡り等間隔に設ける多数の羽根１０４ａ，…を略記する。第１の改良例では、×状フレーム１０２ａ，１０２ｂに、回転フレーム１０２が回転することにより実線で示す矢印の向きに風を起こすファン１１０ａ〜１１０ｄ，１１１ａ〜１１１ｄを追加したことを特徴とする。これにより、回転フレーム１０２の軸管１０３側より外周部へと通過する風の量を増してより効果的な乾燥を実現する。
【００４９】
（４）回転フレームの第２の改良例
図８は、回転フレーム１０２の第２の改良例を示す図である。図８の（ａ）は、第２の改良例の回転フレーム１０２を制御部６側から見た一部を拡大した図であり、図８の（ｂ）は、図８の（ａ）に示す図のｂ−ｂ’断面図を示す。
【００５０】
図８の（ａ）に示すように、第２改良例の回転フレーム１０２では、羽根１０４ａ，１０４ｂ，１０４ｃ，１０４ｄ…の底面に凸状部材１６０ａ，１６１ａ，１６２ａ，１６３ａを設けたことを特徴とする。上記凸状部材１６０ａ…は、図８の（ｂ）に示すように、３０ｃｍ程度の長さであり、２０ｃｍ程度の間隔を空けて１６０ｂ、１６０ｃ…と並べて設けられる。なお、凸状部材１６０ａ，…の断面形状及びサイズは、マットレス２００ａと羽根１０４ａ，…の間に隙間を作ることができるものであれば、特に限定されない。
【００５１】
各羽根の下に上記凸状部材１６０ａ，…を設けたことにより、回転フレーム１０２とマットレス２００ａの間に隙間が生じ、回転フレーム１０２がシロッコファンとして機能することにより生じる風以外に、直接マットレス２００ａの表面に当たる渦巻き風を生成することができる。これにより、遠心力でマットレス２００ａの表面に集まってきている水分をより迅速に気化して効率の良い乾燥を実行する。なお、当該回転フレーム１０２の第２の改良例は、上述した第１の改良例と共に実施しても良い。
【００５２】
（５）回転フレームの第３の改良例
図９は、回転フレーム１０２の第３の改良例を示す図である。第３の改良例では、マットレスを固定するのに引き出しフレーム１５０ａ，１５０ｂ，１５０ｃ，１５０ｄを用いずに、４枚のマットレスを回転フレーム１０２側に押えつける固定バー１７０ａ，１７０ｂ，１７１ａ，１７１ｂ，１７２ａ，１７２ｂ，１７３ａ，１７３ｂを設けたことを特徴とする。例えば、固定バー１７０ａは、支点Ａ１，Ａ２，Ａ３を軸とする支点超え機構を備え、×状フレーム側又はマットレス２００ａを回転フレーム１０２に抑えつける側に付勢される。
【００５３】
これらの固定バー１７０ａ，１７０ｂ，１７１ａ，１７１ｂ，１７２ａ，１７２ｂ，１７３ａ，１７３ｂを採用して引き出しフレーム１５０ａ〜１５０ｄを不要にすることで、４枚のマットレスを装着した時の回転フレーム１０２の総重量を低減することができる。これにより、駆動モータに要求される駆動力を低減し、かつ、運転時に台座１０１に与える応力を低減することができ、結果として消費エネルギー及び故障率の低減を図ることができる。ここで、回転フレーム１０２の内面に金網を設けておけば、当該回転フレーム１０２の高速回転時にマットレスが、外に放り出されるのを防止することができる。なお、第３の改良例は、第１及び第２の改良例と共に実施しても良い。
【００５４】
（６）その他の被浸透物について
以上に説明したマットレスの洗濯・乾燥装置１００では、被浸透物として、通常、ある程度の硬さのあるマットレスを用いたが、マットレス以外に布団や毛布等、マットレスよりも柔らかく、吸水性を有する大型の洗濯物を被浸透物として用いることも考えられる。この場合、上記マットレスと同程度の硬さ及びサイズのメッシュケースを用意し、当該ケースの中に洗濯物を並べ、上記マットレスの換わりに使用すれば良い。
【００５５】
なお、マットレスの洗濯・乾燥装置１００及び上記メッシュケースのサイズを小さくしたものを用意すれば、座布団や枕等のマットレスに比べて小型の洗濯物の乾燥を手軽に行うこともできる。
【００５６】
（７）その他の実施形態
上述した実施の形態に係るマットレスの洗濯・乾燥装置１００は、マットレスの乾燥機能の他に、洗濯、濯ぎ、脱水の機能を兼ね備えるため、回転フレーム１０２の内周面にマットレスを固定する構成を採用する。しかし、濯ぎ液等を含んだ被浸透物を乾燥させるということだけを考えた場合、マットレスを回転フレーム１０２に固定せず、回転フレーム１０２と軸管１０３の間に設ける別のフレームに固定することも考えられる。
【００５７】
例えば、図３に示したように、３個の×状フレーム１０２ａ，１０２ｂ，１０２ｃで軸管１０３に回転可能に支持されている回転フレーム１０２を、２個の×状フレーム１０２ａ，１０２ｃだけで支えるように設計変更し、更に、内部に回転フレーム１０２よりも小さな径のマットレス固定用の円柱状のフレームを設ける。
【００５８】
上記構成を採用することで、回転フレーム１０２を回転させるのに必要な力を、濯ぎ水等を含んだマットレス自体を回転させる場合に比べて大幅に減らすことができる。これにより、駆動モータ６４を低消費電力で小型のものに置きかえることができる。
【００５９】
なお、上記小さな径のマットレス固定用の円柱状のフレームを、軸管１０３を軸に回転可能に取付けておき、着脱可能な固定具（例えば、マットレス固定用の円柱状のフレームと軸管１０３を固定するネジ）により回転を禁止する構成を採用しても良い。この場合、上記固定具（ネジ）を取り外して回転可能にすると共に、締結ベルトなどを利用してマットレス固定用の円柱状のフレームを回転フレーム１０２に固定すれば、上述したマットレスの洗濯・乾燥装置１００と同様に、洗濯、濯ぎ、及び脱水を実行することもできる。
【００６０】
他方、回転フレーム１０２よりも大きな径のマットレス固定用の円柱状のフレームを用意し、当該大きな径の円形フレームの内周面、即ち、回転フレーム１０２の外周部に略隙間無くマットレスを置き、回転フレーム１０２のみをシロッコファンとして高速で回転させることも考えられる。この場合においても、濯ぎ水等を含んだマットレス自体を回転させる場合に比べて、回転フレーム１０２を回転させるのに必要な力を大幅に減らすことができるため、駆動モータ６４を低消費電力の小型のものに置き換えることができる。
【００６１】
【発明の効果】
本発明の第１の被浸透物の乾燥装置では、回転することで、内部から外部へと向かう風を生成する羽根を備える回転フレームの内部または外周部に濯ぎ液等を含んだ被浸透物を置いた後に、当該回転フレームを回転させることにより、被浸透物の表面だけでなく、内部を通るように作用する風を作り、被浸透物をより迅速に乾燥させることができる。
【００６２】
本発明の第２の被浸透物の乾燥装置では、被浸透物の設置手段を回転フレーム本体の内周部分に設けることにより、回転フレームを回転させることにより被浸透物に遠心力を作用させることができ、これにより被浸透物の内部の水分を外側に集め、より迅速に気化させて乾燥させることができる。
【００６３】
本発明の第３の被浸透物の乾燥装置は、回転フレームの全体に渡り、被浸透物を隙間無く、又は略隙間無く取り付けることにより、被浸透物の内部を通りぬける量を増やすことができ、より迅速な乾燥を行うことができる。
【００６４】
本発明の第４の被浸透物の乾燥装置は、固定バーを用いることにより、被浸透物を簡単に回転フレームの内面に押えつけて取付けることができる。
【００６５】
本発明の第５の被浸透物の乾燥装置は、引出し型のフレームを用いることで、被浸透物の取付けを容易に行うことができる。
【００６６】
本発明の第６の被浸透物の乾燥装置は、収容部を備えることで、回転フレームを回転させることにより被浸透物に浸透していた液体が飛散するのを防止することができる。
【００６７】
本発明の第７の被浸透物の乾燥装置は、収容部が備える吸気部に空気清浄フィルターを備えることで、被浸透物が外気に含まれる粉塵により汚れるのを防止することができる。
【００６８】
本発明の第８の被浸透物の乾燥装置は、収容部が備える吸気部に加熱部を備えることにより、被浸透物に温風を当てることができ、より迅速な乾燥を行うことができる。
【００６９】
本発明の第９の被浸透物の乾燥装置は、回転フレームの軸中心に向けて空気を吸いこむためのファンを設けることにより、被浸透物に当たる風量を増やし、より迅速な乾燥を行うことができる。
【００７０】
本発明の第１０の被浸透物の乾燥装置は、凸状部材の働きにより、回転フレームと被浸透物の間に隙間を設けることにより、回転フレームの働きにより生じる軸側より外周部に向けて流れる風の他に、被浸透物の表面に渦巻き風を当てることができ、より迅速な乾燥を行うことができる。
【００７１】
本発明の第１１の被浸透物の乾燥装置は、周囲に複数の羽根を備え、回転することでシロッコファンとして機能する回転フレームを用いることで、複数の大型の扇風機を用いることなく、各マットレスに均一に風を当てることができ、短時間で各マットレスの乾燥を完了することができる。
【００７２】
本発明の第１２の被浸透物の乾燥装置は、介護用のベッドなどのマットレスを迅速に乾燥させることができる。
【００７３】
本発明の第１の被浸透物の乾燥方法は、回転フレームを回転させることにより生じる軸から外周部に向かう風を被浸透物に当てることにより、単に乾燥室内に被浸透物を置いておく場合に比べて、迅速な乾燥を行うことができる。
【００７４】
本発明の第２の被浸透物の乾燥方法は、回転フレームの内周部又は外周部に、被浸透物を隙間なく、又は略隙間なく置くことにより、回転フレームを回転させることにより生じる軸から外周部に向かう風の大半を被浸透物に当てることができ、単に乾燥室内に被浸透物を置いておく場合に比べて、一層迅速な乾燥を行うことができる。
【００７５】
本発明の第３の被浸透物の乾燥方法は、周囲に複数の羽根を備え、回転することでシロッコファンとして機能する回転フレームを用いることで、複数の大型の扇風機を用いることなく、各マットレスに均一に風を当てることができ、短時間で各マットレスの乾燥を完了することができる。
【図面の簡単な説明】
【図１】発明の被浸透物の乾燥装置の実施の形態であるマットレスの洗濯・乾燥装置を収納及び搭載した搬送車を示す図である。
【図２】（ａ）〜（ｃ）は、実施の形態であるマットレスの洗濯・乾燥装置を収納及び搭載した搬送車の正面、側面、後面を示す図である。
【図３】洗濯・乾燥装置の構成を示す図である。
【図４】洗濯・乾燥装置の構成を示す図である。
【図５】乾燥時における風の流れる向きを説明するための図である。
【図６】吸気部の構成を示す図である。
【図７】第１の改良例の回転フレームの構成を示す図である。
【図８】（ａ）は、第２の改良例の回転フレームを制御部側より見た図であり、（ｂ）は、（ａ）に示す図のｂ−ｂ’断面図を示す。
【図９】第３の改良例の回転フレームの構成を示す図である。
【図１０】従来の乾燥室の構成を示す図である。
【符号の説明】３  排気口、３ａ  蓋、４  吸気部、４ｂ  清浄フィルター、４ｃ  電熱線、５  引き出しフレーム、５ａ  蓋、７  ドレイン、６４  駆動モータ、６５  ベルト、１００  マットレスの洗濯・乾燥装置、１０１  台座、１０２  回転フレーム、１０３  軸管、１０４ａ，１０４ｂ，１０４ｃ  羽根、１５０ａ，１５０ｂ，１５０ｃ，１５０ｄ  引き出しフレーム、１５１締結ワイヤ、１６０ａ，１６１ａ，１６１ｂ，１６１ｃ，１６１ｄ，１６２ａ，１６３ａ  凸状部材、１７０ａ，１７０ｂ，１７１ａ，１７１ｂ，１７２ａ，１７２ｂ，１７３ａ，１７３ｂ  固定バー。
【図１】
2004218977.tif 000003
【図２】
2004218977.tif 000004
【図３】
2004218977.tif 000005
【図４】
2004218977.tif 000006
【図５】
2004218977.tif 000007
【図６】
2004218977.tif 000008
【図７】
2004218977.tif 000009
【図８】
2004218977.tif 000010
【図９】
2004218977.tif 000011
【図１０】
2004218977.tif 000012